(57)【要約】      （修正有）【課題】マウス操作の自由度を広げ、マウスコードの引きずり解消と稼動範囲の柔軟性やスムースな操作性を向上させるマウスコードフックを提供する。【解決手段】マスコットキャラクタの形状の一部にＵ字型の形状部を設け、そのＵ字型形状部分をフックとしたキャラクタ型マウスコードフック１にマウスコード２を引っ掛けて支え、ディスプレイ４の外周フレーム上の任意の高さに両面テープなどで固着し、マウスコード２を支えて使用する。また、コイルバネ５の先端の一方を固着し、もう一方の先端に支柱６を介して、台座７を固着付加することで移動型とする。また、台座７の上側にマウス収納台８を固着付加する。また、台座７の下側に余分なマウスコード２を収納できるマウスコード収納リール９を固着付加する。【選択図】              図２
2004252641.tif 000002
【特許請求の範囲】
【請求項１】
マスコットキャラクタ（動物、小鳥、人などの外形を板状又は立体の形状としたもの）の形状の一部にＵ字型の形状部を設け、そのＵ字型形状部分をフックとし、そこにマウスコードを引っ掛けて支えることが可能なキャラクタ型マウスコードフック。
【請求項２】
請求項１にコイルバネの先端の一方を固着し、もう一方の先端に支柱を介して、台座を固着付加した移動型のキャラクタ型マウスコードフック。
【請求項３】
請求項２の台座の上側にマウスを使わないデスクワーク時のマウス収納台を固着付加した移動型のキャラクタ型マウスコードフック。
【請求項４】
請求項２の台座の下側に余分なマウスコードを収納できるマウスコード収納リールを固着付加した移動型のキャラクタ型マウスコードフック。
【発明の詳細な説明】
【０００１】
【発明が属する技術分野】
本発明は、パーソナルコンピュータなどに使われるマウスを効率よく、より使い易くするための発明に関するものである。
【０００２】
【従来の技術】
従来のマウスはマウス本体にマウスコードが付いていてその先端をパーソナルコンピュータなどの本体やキーボードに接続して使用しているが、動かす度にそのマウスコードはマウスマットや机上をこすったり、引きずって使用している。このため邪魔になったり、細かい精度を要するポイント作業時などに嫌な抵抗感・よじれ・周辺の物への引っかかりなどがあり、操作しにくいなどの点があった。
【０００３】
また、コードが机上をこするのでコードがひどく汚れる点や長めのマウスコードはよじれや邪魔になり、更にはデスクワーク時などマウスを使用しない時のマウス本体も邪魔になるなどの問題があった。
【０００４】
これを補う為のコードレスタイプのマウスも商品化されているが電池を使用するため、電池の消耗や充電、重量、価格の点で現状でもコードタイプが主流である。
【０００５】
【発明が解決しようとする課題】
（イ）マウス操作時にマウスマットや机上をマウスコードがこすり、引きずりや精密なポイント作業時の嫌な抵抗感・よじれ・周辺の物への引っかかりなど操作しにくい等の点。
（ロ）マウスコードが机上をこするのでマウスコードがひどく汚くなる点。
（ハ）マウス本体はデスクワーク時に邪魔になる点。
（ニ）長めのマウスコードはよじれたり、邪魔になる点。
などの問題点の解消。
【０００６】
【課題を解決するための手段】
請求項１の場合は
マスコットキャラクタ（動物、小鳥、人などの外形を板状又は立体の形状としたもの）の形状の一部にＵ字型の形状部を設け、そのＵ字型形状部分をフックとしたキャラクタ型マウスコードフック１にマウスコード２を引っ掛けて支えることが可能なキャラクタ型マウスコードフックを提供。
これをディスプレイ４の外周フレーム上の任意の高さに両面テープなどで固着し、マウスコード２を支えて使用する固定型のキャラクタ型マウスコードフックとしたもの。
【０００７】
請求項２の場合は
請求項１にコイルバネ５の先端の一方を固着し、もう一方の先端に支柱６を介して、台座７を固着付加した移動型のキャラクタ型マウスコードフックとしたもの。
【０００８】
請求項３の場合は
請求項２の台座７の上側にマウス３を使わないデスクワーク時のマウス収納台８を固着付加した移動型のキャラクタ型マウスコードフックとしたもの。
【０００９】
請求項４の場合は
請求項２の台座７の下側に余分なマウスコード２を収納できるマウスコード収納リール９を固着付加した移動型のキャラクタ型マウスコードフックとしたもの。
【００１０】
【発明の実施の形態】
請求項１の場合は
マスコットキャラクタ（動物、小鳥、人などの外形を板状又は立体の形状としたもの）の形状の一部にＵ字型の形状部を設け、そのＵ字型形状部分をフックとしたキャラクタ型マウスコードフック１にマウスコード２を引っ掛けて支えることが可能なキャラクタ型マウスコードフックを提供。
これをディスプレイ４の外周フレーム上の任意の高さに両面テープなどで固着し、マウスコード２を支えて使用する固定型のキャラクタ型マウスコードフックとしたもの。
【００１１】
請求項２の場合は
請求項１にコイルバネ５の先端の一方を固着し、もう一方の先端に支柱６を介して、台座７を固着付加した移動型のキャラクタ型マウスコードフックとしたもの。
【００１２】
請求項３の場合は
請求項２の台座７の上側にマウス３を使わないデスクワーク時のマウス収納台８を固着付加した移動型のキャラクタ型マウスコードフックとしたもの。
【００１３】
請求項４の場合は
請求項２の台座７の下側に余分なマウスコード２を収納できるマウスコード収納リール９を固着付加した移動型のキャラクタ型マウスコードフックとしたもの。
【００１４】
【実施例】
図１の実施例１は請求項１の実施例を示す。
キャラクタ型マウスコードフック１をディスプレイ４の外周フレーム上の任意の高さに両面テープなどで固着し、マウスコード２を支えて使用した場合の実施例を示す。
【００１５】
図２の実施例２は請求項２〜４の実施例を示す。
キャラクタ型マウスコードフック１にコイルバネ５先端の一方を固着し、もう一方の先端に支柱６を介して、台座７を固着付加した移動型のキャラクタ型マウスコードフックであり、この場合は移動可能であるため任意の位置で使用でき、また、コイルバネ５があることによりマウス３の動きに追従でき、マウス３の動きの自由度が更に広がるとともにキャラクタに動きが加わる。
【００１６】
また、台座７の上側にマウス３を使わないデスクワーク時のマウス収納台８を固着付加した場合を示す。
【００１７】
更に台座７の下側に余分なマウスコード２を収納できるマウスコード収納リール９を固着付加した場合を示す。
【００１８】
マウスコード収納リール９にマウスコード２を収納後は、はみ出さないようにマウスコード収納リールカバー１０を装着する。
【００１９】
【発明の効果】
請求項１の場合の効果としては
キャラクタ型マウスコードフックを使うことにより、マウスコード２を高い位置で引っ掛けて使用するため、マウス３を操作する上で、自由度が広がり、うっとうしいコードの引きずり解消と稼動範囲の柔軟性・スムースな操作性の向上が得られる。
また、味気ないディスプレイ４に可愛らしいマスコットキャラクタをつけることにより、そこにアクセントをつけられ、長時間のマウス作業疲れの一時の癒し効果も期待できる。
【００２０】
更にマウスコード２が机上をこすらないのでマウスコード２も汚れない。
【００２１】
請求項２〜４の場合の効果としては
上記の効果に加え、場所を選ばない移動型であるのと、コイルバネ５による柔軟性もあり、さらにマウス３の自由度が広がる。
【００２２】
コイルバネ５に取り付けられたマスコットキャラクタはマウス３操作の動きに追随し、そのランダムな動きの表情は愛きょうを与えてくれる。
【００２３】
マウス３を使わないデスクワーク時の便利なマウス収納台８付きで机上スペースの有効利用がでる。
【００２４】
余分なマウスコード２はマウスコード収納リール９に収まり、更に机はスッキリ整理される。
【図面の簡単な説明】
【図１】キャラクタ型マウスコードフックの請求項１の実施方法を示した説明図である。（実施例１）
【図２】キャラクタ型マウスコードフックの請求項２〜４の実施方法を示した説明図である。（実施例２）
【図３】キャラクタ型マウスコードフック（キャラクタを人の形状にした場合）の請求項２〜４の実施方法を示した説明図である。（実施例３）
【符号の説明】
１    キャラクタ型マウスコードフック
２    マウスコード
３    マウス
４    ディスプレイ
５    コイルバネ
６    支柱
７    台座
８    マウス収納台
９    マウスコード収納リール
１０  マウスコード収納リールカバー
【図１】
2004252641.tif 000003
【図２】
2004252641.tif 000004
【図３】
2004252641.tif 000005